(57)【要約】 【課題】  リモートコントロール送信機（1）を組み立てた後に、異なる種類の被制御機器に対応して遠隔制御可能なリモートコントロール送信機（1）を提供する。【解決手段】  プログラマブルＲＯＭ（２）と、電磁誘導信号若しくはＲＦ信号を受信するアンテナ（１９）と、電磁誘導信号若しくはＲＦ信号に含まれる組込み制御ソフトウエアをプログラマブルＲＯＭ（２）へ送出する受信回路素子（２１、２２）とを備え、被制御機器を遠隔制御するための任意の組込み制御ソフトウエアをアンテナ（１９）と受信回路素子（２１、２２）を介してプログラマブルＲＯＭ（２）へ書き込む。【選択図】  図２
2007027919.tif 000002
【特許請求の範囲】
【請求項１】
キーボードスイッチ（１２）のいずれかの操作されたキー（１１）を検出し、操作されたキー（１１）に応じた赤外制御信号を発光するリモートコントロール送信機（１０）であって、
リモートコントロール送信機（１０）の前記動作を制御する任意の組込み制御ソフトウエアを書き換え可能に格納するプログラマブルＲＯＭ（２）と、
プログラマブルＲＯＭ（２）に格納された組込み制御ソフトウエアを実行するＣＰＵ（７）と、
電磁誘導信号若しくはＲＦ信号を受信するアンテナ（１９）と、
アンテナ（１９）に接続し、電磁誘導信号若しくはＲＦ信号に含まれる組込み制御ソフトウエアをプログラマブルＲＯＭ（２）へ送出する受信回路素子（２１、２２）と、
赤外制御信号を発光する赤外発光素子（１８）とを備え、
アンテナ（１９）で受信する電磁誘導信号若しくはＲＦ信号によって、プログラマブルＲＯＭ（２）に組込み制御ソフトウエアを格納することを特徴とするリモートコントロール送信機。
【請求項２】
プログラマブルＲＯＭ（２）とＣＰＵ（７）は、１チップのマイクロコンピュータ（３）に集積化され、
アンテナ（１９）は、マイクロコンピュータ（３）が実装されるプリント配線基板（４）の印刷パターンにより形成されることを特徴とする請求項１記載のリモートコントロール送信機。
【請求項３】
プログラマブルＲＯＭ（２）とＣＰＵ（７）は、１チップのマイクロコンピュータ（３）に集積化され、
マイクロコンピュータ（３）が実装されるプリント配線基板（４）に、キーボードスイッチ（１２）のキー（１１）のスイッチ電極（１１ａ、１１ｂ）が印刷されていることを特徴とする請求項１又は請求項２に記載のリモートコントロール送信機。
【発明の詳細な説明】
【技術分野】
【０００１】
本発明は、操作されたキーに応じた赤外制御信号を発光するリモートコントロール送信機に関し、更に詳しくは、リモートコントロール送信機の動作を制御する組込み制御ソフトウエアがプログラマブルＲＯＭに書き込まれるリモートコントロール送信機に関する。
【背景技術】
【０００２】
リモートコントロール送信機は、キーボードスイッチのいずれかの操作されたキーを検出し、そのキーに応じた赤外制御信号を被制御機器へ向けて発光することにより、操作されたキーに関連づけられた所定の動作を実行するように被制御機器を遠隔制御するものである。このため、リモートコントロール送信機には、キー操作のためのキーボードスイッチや赤外制御信号を発光する赤外発光素子の他に、リモートコントロール送信機の前記動作を制御する組込み制御ソフトウエアを格納するＲＯＭ（Ｒｅａｄ  Ｏｎｌｙ  Ｍｅｍｏｒｙ）、ＲＯＭに格納された組込み制御ソフトウエアを実行するＣＰＵ（Ｃｅｎｔｒａｌ  Ｐｒｏｃｅｓｓｉｎｇ  Ｕｎｉｔ）、演算処理用ＲＡＭ（Ｒａｎｄｏｍ  Ａｃｃｅｓｓ  Ｍｅｍｏｒｙ）等の各回路素子が備えられている。
【０００３】
一般に、これらのＲＯＭ、ＣＰＵ、演算処理用ＲＡＭ等の各回路素子は、１チップのマイクロコンピュータに集積化され、マイクロコンピュータ、赤外発光素子、発振回路素子等を１枚のプリント配線基板上に実装し、このプリント配線基板のパターンへ、電源回路、キーボードスイッチを接続し、その全体をケース内に収容してリモートコントロール送信機を組み立てている。
【０００４】
マイクロコンピュータの内蔵素子として搭載されるＲＯＭは、書き込んだ組込み制御ソフトウエアの内容の保持に電源を必要としないことから、システムを起動させるブートプログラムや固定したシステムを制御する組込み制御ソフトウエアを格納するメモリとして用いられ、特に、製造時にプログラミングされるマスクＲＯＭ（Ｍａｓｋ  Ｒｅａｄ  Ｏｎｌｙ  Ｍｅｍｏｒｙ）は、プログラムを書込む為の回路がないので、比較的構成が簡単で低コストであり、この種のリモートコントロール送信機に搭載されている。
【０００５】
一方で、マスクＲＯＭは、特定の使用条件に適合するように製造後プログラミングすることができないという汎用性に欠け、同じ機種を大量生産しなければ、効果的なコスト削減を実現することができず、また、所要のプログラムを格納したマスクＲＯＭの製造には長期間を要するため、被制御機器の仕様変更などに対応するリモートコントロール送信機を短期間に製造することができなかった。
【０００６】
そこで、本出願人は、リモートコントロール送信機の製造ラインでプログラムを書き込むことが可能なプログラマブルＲＯＭ（以下、ＰＲＯＭという）を用いて、比較的低価格で、少量の被制御機器に対しても短期間に対応する機種の製造が可能なリモートコントロール送信機を開発した。
【０００７】
このリモートコントロール送信機では、ＰＲＯＭを内蔵するマイクロコンピュータをプリント配線基板へ実装する直前に、ＰＲＯＭへ所要の組込み制御ソフトウエアを書き込み、汎用の他の回路素子とともにプリント配線基板へ実装して、リモートコントロール送信機を組み立てる。
【０００８】
組込み制御ソフトウエアは、専用のＲＯＭライタによりＰＲＯＭへ書き込むが、大量のリモートコントロール送信機を製造する場合には、複数のＰＲＯＭへ同時に組込み制御ソフトウエアの書き込みが可能な従来のＲＯＭライタを用いて生産効率を上げている（特許文献１）。
【０００９】
【特許文献１】特開２００１−１５４８６３（第７欄乃至第９欄、図１）
【００１０】
図５は、この複数のＰＲＯＭに組込み制御ソフトウエアを同時に書き込む従来のＲＯＭライタ１００を示すもので、バスラインにより互いに接続されたマイクロプロセッサ１０１、ピンドライバモジュール１０２、バックプレーンモジュール１０３及びソケットアダプタ１０４から構成されている。図示するＲＯＭライタ１００は、ソケットアダプタ１０４に設けられた４個のＩＣソケット（１０４Ａ乃至１０４Ｄ）に接続させた４個のＰＲＯＭへ、同時に組込み制御ソフトウエアを書き込むものである。
【００１１】
組込み制御ソフトウエアを書き込む際に、マイクロプロセッサ１０１は、ピンドライバモジュール１０２の論理回路１０２Ａを介して、バックプレーンモジュール１０３の各リレースイッチ回路（１０３Ａ乃至１０３Ｄ）に制御信号を与え、プログラムを書き込むＰＲＯＭに直接アドレス及びデータを与えるとともに、電圧源回路１０２ＢをＰＲＯＭについて書き込みに適切な電圧を出力するように設定する。これにより、ＩＣソケット（１０４Ａ乃至１０４Ｄ）に接続する各ＰＲＯＭは、マイクロプロセッサ１０１のアドレスバス及びデータバスに直接接続されたように見え、マイクロプロセッサ１０１から所定の組込み制御ソフトウエアが所定のタイミングで書き込まれる。
【発明の開示】
【発明が解決しようとする課題】
【００１２】
上述のＲＯＭライタ１００によれば、複数のＰＲＯＭへ同時に組込み制御ソフトウエアを書き込むことが可能となるが、それでも同一仕様のリモートコントロール送信機を量産する場合には、個々のＩＣソケット（１０４Ａ乃至１０４Ｄ）に大量のＰＲＯＭを交換して接続する必要があり、ＩＣソケットのコンタクトが摩耗するものであった。例えば、１万回程度の耐久性を有するＩＣソケットを４個用いて、月産１２０万台のリモートコントロール送信機に搭載されるＰＲＯＭへ書き込む場合には、一日に一度の頻度でＩＣソケットを交換する必要があった。
【００１３】
また、ＰＲＯＭ、若しくはＰＲＯＭを内蔵するマイクロコンピュータをプリント配線基板へ実装する前に、ＲＯＭライタ１００のＩＣソケット（１０４Ａ乃至１０４Ｄ）へ位置決め接続して、プログラムを書き込む工程が介在するため、タクトタイムが増加し、一貫したリモートコントロール送信機の製造ラインで製造することができない。
【００１４】
更に、任意の組込み制御ソフトウエアを格納自在とする汎用性のあるＰＲＯＭを用いても、他の部品は、プログラムを書き込んだ後に、プリント配線基板へ実装し、ケース内に組み立ててリモートコントロール送信機を製造するので、種々の仕様に応じたリモートコントロール送信機を短期間に製造することはできなかった。
【００１５】
本発明は、このような従来の問題点を考慮してなされたものであり、リモートコントロール送信機を組み立てた後に、異なる種類の被制御機器に対応して遠隔制御可能とすることが可能なリモートコントロール送信機を提供することを目的とする。
【００１６】
また、ＲＯＭライタのＩＣソケットを交換することなく、ＰＲＯＭへ任意の組込み制御ソフトウエアを格納するリモートコントロール送信機を大量に製造することができるリモートコントロール送信機用を提供することを目的とする。
【課題を解決するための手段】
【００１７】
上述の目的を達成するため、請求項１のキー入力装置は、キーボードスイッチのいずれかの操作されたキーを検出し、操作されたキーに応じた赤外制御信号を発光するリモートコントロール送信機であって、リモートコントロール送信機の前記動作を制御する任意の組込み制御ソフトウエアを書き換え可能に格納するプログラマブルＲＯＭと、プログラマブルＲＯＭに格納された組込み制御ソフトウエアを実行するＣＰＵと、電磁誘導信号若しくはＲＦ信号を受信するアンテナと、アンテナに接続し、電磁誘導信号若しくはＲＦ信号に含まれる組込み制御ソフトウエアをプログラマブルＲＯＭへ送出する受信回路素子と、赤外制御信号を発光する赤外発光素子とを備え、アンテナで受信する電磁誘導信号若しくはＲＦ信号によって、プログラマブルＲＯＭに組込み制御ソフトウエアを格納することを特徴とする。
【００１８】
任意の組込み制御ソフトウエアを電磁誘導信号若しくはＲＦ信号に含めてアンテナに向けて送信することにより、アンテナと受信回路を介して、プリント配線基板に搭載されたプログラマブルＲＯＭに、ＲＯＭライタと非接触で、組込み制御ソフトウエアが書き込まれる。
【００１９】
プログラマブルＲＯＭをプリント配線基板へ実装した後であっても、組込み制御ソフトウエアを書き込み自在であるので、プログラマブルＲＯＭをプリント配線基板へ搭載して組み立てたリモートコントロール送信機に対して、電磁誘導信号若しくはＲＦ信号を送信し、プログラマブルＲＯＭへ所要の組込み制御ソフトウエアを格納できる。
【００２０】
請求項２のリモートコントロール送信機は、プログラマブルＲＯＭとＣＰＵが、１チップのマイクロコンピュータに集積化され、アンテナは、マイクロコンピュータが実装されるプリント配線基板の印刷パターンにより形成されることを特徴とする。
【００２１】
マイクロコンピュータが実装されるプリント配線基板の印刷パターンにより形成される平面アンテナで、電磁誘導信号若しくはＲＦ信号を受信するので、アンテナを独立した部品として用意し、マイクロコンピュータと接続する必要がない。
【００２２】
請求項３のリモートコントロール送信機は、プログラマブルＲＯＭとＣＰＵが、１チップのマイクロコンピュータに集積化され、マイクロコンピュータが実装されるプリント配線基板に、キーボードスイッチのキーのスイッチ電極が印刷されていることを特徴とする。
【００２３】
キーボードスイッチのスイッチ電極は、プリント配線基板上に印刷パターンを形成する過程で同時に形成することができるので、操作を受ける可動側部品を用意するだけで、キーボードスイッチが得られる。
【００２４】
キーボードスイッチのスイッチ電極は、プリント配線基板上の印刷パターンによってマイクロコンピュータに内蔵されるＣＰＵと電気接続し、キーボードスイッチの操作されたキーを検出できる。
【発明の効果】
【００２５】
請求項１の発明によれば、ＲＯＭライタと非接触でプログラマブルＲＯＭへ組込み制御ソフトウエアを書き込むことができるので、ＩＣソケットを交換する必要がない。
【００２６】
また、非接触で複数のリモートコントロール送信機のアンテナへ、電磁誘導信号若しくはＲＦ信号を送信できるので、同時に多数のプログラマブルＲＯＭへ組込み制御ソフトウエアを格納できる。
【００２７】
また、組込み制御ソフトウエアがプログラマブルＲＯＭに書き込まれてないリモートコントロール送信機を用意するだけで、種々の異なる被制御機器に対応して遠隔制御可能なリモートコントロール送信機を製造できる。従って、リモートコントロール送信機自体を汎用製品とすることができ、余分な在庫が発生しない。
【００２８】
また、リモートコントロール送信機の製造工程にかかわらず、随時、その場所を選ばず、プログラマブルＲＯＭへ所望の組込み制御ソフトウエアを格納できるので、既存の製造ラインを改良することなく、汎用のリモートコントロール送信機を製造できる。  
【００２９】
請求項２の発明によれば、アンテナを部品として用意する必要がないので、部品点数が減少し、アンテナをプリント配線基板へ実装する工程が省かれる。
【００３０】
更に、プリント配線基板の印刷パターンで形成される平面アンテナなので、嵩張らず、リモートコントロール送信機を小型化できる。
【００３１】
これに加えて請求項３の発明によれば、スイッチ電極が形成された基板を別に用意することなく、プリント配線基板の製造過程で同時にキーボードスイッチのスイッチ電極を形成できる。
【００３２】
また、キーボードスイッチを、コネクタ、半田接続などでＣＰＵと電気接続することなく、操作されたキーを検出できる。
【発明を実施するための最良の形態】
【００３３】
以下、本発明に係るリモートコントロール送信機１を、図１乃至図４を用いて説明する。図１は、リモートコントロール送信機１の主要部を示すブロック図、図２は、プログラマブルＲＯＭ（ＰＲＯＭ）２が内蔵されたマイクロコンピュータ（以下、マイコンという）３内の構成を示すブロック図、図３は、マイコン３が実装されたプリント配線基板４と、キーボードスイッチ１２の一部を構成するラバーシート１３の斜視図、図４は、リモートコントロール送信機１の縦断面図である。
【００３４】
リモートコントロール送信機１は、キーボードスイッチ１２のいずれかの操作されたキー１１を検出し、操作されたキー１１に応じた赤外制御信号を被制御機器へ発光し、被制御機器が操作されたキー１１に関連づけられた動作を実行するように遠隔制御するものである。リモートコントロール送信機１の上記動作は、マイコン３に内蔵されたＣＰＵ７により制御されるもので、図１に示す各回路素子が１枚のプリント配線基板４に実装され、プリント配線基板４上の印刷パターンを介して、ＣＰＵ７を内蔵するマイコン３を中心に各回路素子が図１に示すように相互に接続されて構成されている。
【００３５】
ワイヤーコンタクトを螺旋状に巻回してなる一対の電源端子１４ａ、１４ｂ（図３参照）は、ケース６に収容される直流電源であるバッテリー１５の両極に接続し、バッテリー１５から得られる直流電源Ｖｄｄをマイコン３のＶＤＤ端子とＧＮＤ端子間へ入力し、マイコン３の駆動電源としている。尚、バッテリー１５に並列に接続されたコンデンサ２０は、直流電源Ｖｄｄの電圧を安定化させるものである。
【００３６】
マイコン３のＯＳＣ−Ｏ端子とＯＳＣ−Ｉ端子間に接続される発振器１６は、マイコン３内で所定周期のクロックを発生させるためのもので、マイコン３では、クロックを分周し後述する変調信号の搬送波を生成している。
【００３７】
マイコン３のＲＥＭ端子は、スイッチング素子として作用するトランジスタ１７に接続し、変調信号をトランジスタ１７のベースへ出力することにより、直流電源１５に対してトランジスタ１７と直列に接続される赤外発光ダイオード１８の発光を制御している。
【００３８】
プリント配線基板４には、更に、図１、図３に示すように、キーボードスイッチ１２の各キー１１毎に、一対のスイッチ電極１１ａ、１１ｂが印刷形成されいる。一対のスイッチ電極１１ａ、１１ｂは、プリント配線基板４上を覆うラバーシート１３にマトリックス状に形成された各キー１１ａ、１１ｂ・・について、その対向するプリント配線基板４の表面に互いに絶縁して印刷される。各キー１１の一方のスイッチ電極１１ａは、それぞれプリント配線基板４上の引き出し線５Ａを介して、ＫＩ／０１乃至ＫＩ／０５のいずれかの入出力信号ピンに接続し、また、他方のスイッチ電極１１ｂは、それぞれ引き出し線５Ｂを介してＫＩ０乃至ＫＩ３のいずれかの入力信号ピンに接続している。
【００３９】
各キー１１の一対のスイッチ電極１１ａ、１１ｂは、その上方のキー１１の内底面に形成された可動電極と所定の絶縁距離で対向し、キー１１を押し下げ操作すると、可動電極がスイッチ電極１１ａ、１１ｂ間を短絡し、これにより操作されたキー１１が検出される。すなわち、マイコン３は、ＫＩ／０１乃至ＫＩ／０５から相互に異なるタイミングでキースキャン信号を出力し、ＫＩ０乃至ＫＩ３のいずれかからキースキャン信号が入力された場合に、その入力信号ピンと、キースキャン信号の入力タイミングから押圧されたキー１１を検出している。
【００４０】
このキーボードスイッチ１２を構成するスイッチ電極１１ａ、１１ｂの周囲には、各スイッチ電極１１ａ、１１ｂから引き出される引き出し線５Ａ、５Ｂと絶縁して、図３に示すように、ループ状の印刷パターンからなる平面アンテナ１９が形成され、その両端は、マイコン３のＳＩ端子とＧＮＤ端子に接続してる。平面アンテナ１９は、ここではＲＦ（ｒａｄｉｏ  ｆｒｅｑｕｅｎｃｙ）信号を受信する空中線として作用する。
【００４１】
図２に示すように、マイコン３内部では、バスライン２５を介して、入出力ポートＫＩ／Ｏ、入力ポートＫＩ、ＣＰＵ（Ｃｅｎｔｒａｌ  Ｐｒｏｃｅｓｓｉｎｇ  Ｕｎｉｔ）７、ＣＰＵ７の動作を制御する組込み制御ソフトウエア、ブートプログラム等が格納されるＰＲＯＭ２、演算用ＲＡＭ（Ｒａｎｄｏｍ  Ａｃｃｅｓｓ  Ｍｅｍｏｒｒｙ）８、搬送波生成回路部９、制御回路部２１が相互に接続されている。
【００４２】
ＣＰＵ７は、ＰＲＯＭ２に格納された組込み制御ソフトウエアに従って、所定の演算、制御命令を出力し、リモートコントロール送信機１全体の動作を制御する動作モードと、ＰＲＯＭ２に格納されたブートプログラムに従って、後述するように、ＲＦ信号に含まれる組込み制御ソフトウエアを制御回路部２１からＰＲＯＭ２へ書き込む書き込みモードで動作する。ここでブートプログラムは、電源１５が投入された起動時にＣＰＵ７に読み出され、後述する一定条件下でＲＦ信号を受信した場合に、ＣＰＵ７を書き込みモードとする、ＰＲＯＭ２の製造時に書き込まれた汎用のプログラムである。
【００４３】
入出力ポートＫＩ／Ｏは、図示しないインターフェースを介して信号ピン（ＫＩ／０１乃至ＫＩ／０５）に接続する５つの入出力ポートであり、前述したようにキーボードスイッチ１２の押圧されたキー１１を検出するため、各入出力ポートから異なるタイミングでキースキャン信号を出力する。また、入力ポートＫＩは、同様に図示しないインターフェースを介して信号ピン（ＫＩ０乃至ＫＩ３）に接続する４つの入力ポートであり、上記キースキャン信号を入力する。
【００４４】
キーボードスイッチ１２の各キー１１、１１・・には、被制御機器の例えばテレビジョン受像機の電源、音量、チャンネル切替などの動作の制御命令が関連付けられ、入力ポートＫＩのいずれかに入力されるキースキャン信号によって特定のキー１１への操作が検出されると、ＣＰＵ７は、そのキー１１に関連付けられた動作の制御命令で、ＰＰＭ（Ｐｕｌｓｅ  Ｐｏｓｉｔｉｏｎ  Ｍｏｄｕｌａｔｉｏｎ）変調したＰＰＭ変調信号を生成する。
【００４５】
制御回路部２１は、フロントエンド２２を介して、平面アンテナ１９の両端が接続された信号ピン（ＳＩ、ＧＮＤ）に接続している。フロントエンド２２は、平面アンテナ１９が受信したＲＦ信号を増幅し、周波数変換して制御回路部２１へ出力し、制御回路部２１は、周波数変換したＲＦ信号から組込み制御ソフトウエアを復調する。
【００４６】
ＰＲＯＭ２は、ここでは、ＯＴＰ（Ｏｎｅ  Ｔｉｍｅ  ｐｒｏｇｒａｍｍａｂｌｅ）ＲＯＭを用いている。ＰＲＯＭ２は、もともと不揮発メモリーでありながら、必要最小限に書き換えを可能としたメモリーデバイスであることから、マイコン３のチップに内蔵のＰＲＯＭ２は、アドレスバス、データバスなどが直接外部に引き出されない。そこで、ＰＲＯＭ２に組込み制御ソフトウエアを書き込む際には、ＣＰＵ７の動作モードを書き込みモードに切り換え、図示しないＲＯＭライタから組込み制御ソフトウエアを変調したＲＦ信号が送信する。ＲＯＭライタから送信されるＲＦ信号は、平面アンテナ１９で受信され、フロントエンド２２を介して制御回路部２１で組込み制御ソフトウエアに復調され、バスライン２５を介してＯＴＰＲＯＭ２に書き込まれる。
【００４７】
より詳細に説明すると、バッテリー１５を接続してマイコン３に電源が印加されると、ＣＰＵ７は、ＯＴＰＲＯＭ２に格納されたブートプログラムに従って起動時の動作を実行する。ＣＰＵ７は、起動後に制御回路部２１の出力を監視し、ＲＦ信号から復調した信号に、書き込み命令が含まれているときに、ＣＰＵ７を書き込みモードとする。書き込みモードでは、ＣＰＵ７からＯＴＰＲＯＭ２にチップイネーブル信号が出力され、ＯＴＰＲＯＭ２が、バスライン２５によって制御回路部２１に接続し、制御回路部２１から直接組込み制御ソフトウエアを書き込むためのアドレス及びデータが与えられる。
【００４８】
外部のＲＯＭライタは、所定のプログラミングアルゴリズムに従って、組込み制御ソフトウエアを書き込むためのデータで変調したＲＦ信号を送信し、アンテナ１９で受信したＲＦ信号から制御回路部２１が復調したデータによって、組込み制御ソフトウエアをＯＴＰＲＯＭ２の所定アドレスに書き込む。全てのプログラムが書き込まれると、ＣＰＵ７は、通常の動作モードに移行する。
【００４９】
一般にＰＲＯＭ２への組込み制御ソフトウエアの書き込みは、ＲＯＭライタのＩＣソケットの書き込み用端子へＰＲＯＭ２の信号ピンを差し込んで接続しているが、ＩＣソケットの書き込み用端子が摩耗や疲労するためにその接続寿命は１万回程度であり、大量のＰＲＯＭ２へ組込み制御ソフトウエアを書き込む場合には、その都度ＩＣソケットを交換する必要がある。本実施の形態では、非接触でＲＯＭライタに接続し、組込み制御ソフトウエアを書き込めるので、書き込み用端子が摩耗や疲労することなく、接続部品を交換せずに所定の組込み制御ソフトウエアで動作するリモートコントロール送信機を量産できる。
【００５０】
また、本実施の形態によれば、被制御機器への個々の組込み制御ソフトウエアをウエハ処理工程で書き込むマスクＲＯＭを用いることなく、任意の時期、例えば、ＯＴＰＲＯＭ２を内蔵したマイコン３をプリント配線基板４へ実装し、ケース６内に収容してリモートコントロール送信機１を製造した後であっても、組込み制御ソフトウエアをＯＴＰＲＯＭ２へ書き込むことが可能であるので、短期間に、かつ在庫をかかえることなく、種々の被制御機器を動作させるリモートコントロール送信機１を製造できる。
【００５１】
演算用ＲＡＭ８は、ＯＴＰＲＯＭ２に格納される組込み制御ソフトウエアや、ＣＰＵ７による演算結果、生成したデータ等を、ＣＰＵ７の動作中一時的に記憶するものである。また、このＲＡＭ８には、制御回路部２１で復調した組込み制御ソフトウエアを書き込むためのデータを、一次記憶してもよい。
【００５２】
搬送波生成回路部９は、発振器１６から入力されるクロックの周波数を分周し、所定周波数の搬送波を生成し、ＣＰＵ７で生成するＰＰＭ変調信号で搬送波を二次変調し、ＲＥＭ端子から出力する。
【００５３】
プリント配線基板４には、このように構成されたマイコン３の他、図１に示す回路部品が一括して例えば同一の実装機を用いて実装される。続いて、キーボードスイッチ１２のラバーシート１３を、各キー１１の可動電極がスイッチ電極１１ａ、１１ｂに対向するように、プリント配線基板４上に重ね、図４に示すように、キー１１が突設する位置に透孔が穿設された上ケース６Ａと下ケース６Ｂからなるケース６内に組み込まれる。
【００５４】
以下、上述構成のリモートコントロール送信機１について、特定の被制御機器、例えばテレビジョン受像機の動作を制御するように、ＯＴＰＲＯＭ２に組込み制御ソフトウエアが書き込まれたリモートコントロール送信機１の動作を説明する。
【００５５】
テレビジョン受像機に所定の動作を行わせるため、キー１１を押し下げ操作すると、押し下げられたキー１１の可動電極が対向するスイッチ電極１１ａ、１１ｂに接触し、スイッチ電極１１ａ、１１ｂ間が導通する。動作モードにあるＣＰＵ７は、信号ピン（ＫＩ／０１乃至ＫＩ／０５）から、５本の固定側引き出し線５Ａへ、異なるタイミングでキースキャン信号を出力しているので、キースキャン信号が入力された信号ピン（ＫＩ０乃至ＫＩ３）とその入力タイミングとから、操作されたキー１１が検出される。
【００５６】
組込み制御ソフトウエアにより、予めキーボードスイッチ１２の各キー１１、１２・・には、テレビジョン受像機の電源、音量、チャンネル切替などの制御命令が対応付けられ、組込み制御ソフトウエアで動作するＣＰＵ７において、特定のキー１１への操作が検出されると、そのキー１１に対応付けられた制御命令でＰＰＭ変調したＰＰＭ変調信号が搬送波生成回路９へ出力される。
【００５７】
搬送波生成回路９は、ＰＰＭ変調信号で搬送波を二次変調した二次変調信号をＲＥＭ端子から出力する。従って、押圧された特定キー１１に関連づけられた制御命令を表す変調信号がＲＥＭ端子から出力され、この変調信号によって赤外発光ダイオード１８が駆動制御され、制御命令を含む赤外制御信号がリモートコントロール送信機１から送信される。
【００５８】
被制御機器である例えばテレビジョン受像機は、リモートコントロール送信機１から送信される赤外制御信号を受信すると、制御命令を復調し、制御命令に従って、押圧されたキー１１に対応する動作を実行する。
【００５９】
上述の実施の形態では、ＰＲＯＭの一例として、ＯＴＰＲＯＭで説明したが、少なくともＲＯＭの製造後に組込み制御ソフトウエアを書込可能なものであれば、ＰＰＲＯＭ（Ｐｒｏｄｕｃｔｉｏｎ  ｐｒｏｇｒａｍｍｅｄ  ｒｅａｄ  ｏｎｌｙ  Ｍｅｍｏｒｙ）、ＥＥＰＲＯＭ、ＥＰＲＯＭなどであってもよい。
【００６０】
特に、複数回の書き込みが可能なＰＲＯＭを搭載したリモートコントロール送信機１であれば、バージョンアップした組込み制御ソフトウエアを再書き込みすることも可能であり、また、被制御機器を新たな他の製品、機種に交換した場合に、交換した被制御機器を遠隔制御する為の組込み制御ソフトウエアを、ユーザーがＰＲＯＭへ書き込むことにより、リモートコントロール送信機を交換せずに、遠隔制御することも可能となる。
【００６１】
尚、上述の実施の形態において、説明の便宜上、平面アンテナ１９、フロントエンド２２及び制御回路部２１は、ＲＦ信号を受信する一方向でのみ説明したが、ＰＲＯＭ２への書き込み状況などをＲＯＭライタ側へＲＦ信号で伝えるため、変調機能を有する双方向での通信が可能であることが望ましい。
【００６２】
また、アンテナ１９は、プリント配線基板４のパターンで形成した平面アンテナに限らず、ＰＲＯＭ２が搭載される同一のプリント配線基板４に実装されるものであれば、導電性ワイヤーなど他の導電材で形成するものであってもよい。
【００６３】
更に、ＰＲＯＭ２は、ＣＰＵ７などとともに１チップに集積されたマイコン３に内蔵されるものに限らず、独立したＩＣ素子として、プリント配線基板４に実装されるものであってもよい。
【００６４】
更に、マイコン３が実装されるプリント配線基板４と、キーボードスイッチ１２は、別に形成し、相互を電気コネクタなどで電気接続してケース６内に収容し、組み立てるものであってもよい。
【００６５】
更に、組込み制御ソフトウエアを伝送する伝送信号は、ＲＦ信号に限らず、ループ電磁誘導信号であってもよい。電磁誘導信号に組込み制御ソフトウエアを含めて、リモートコントロール送信機１のＰＲＯＭ２へ書き込む場合には、アンテナをループアンテナとして、ループ内を通過する磁束変化で表される電磁誘導信号から組込み制御ソフトウエアを復調する。
【産業上の利用可能性】
【００６６】
本発明は、リモートコントロール送信機の動作を制御する組込み制御ソフトウエアがＰＲＯＭに格納されるリモートコントロール送信機に適している。
【図面の簡単な説明】
【００６７】
【図１】本発明に係るリモートコントロール送信機１の主要部を示すブロック図である。
【図２】プログラマブルＲＯＭ２が内蔵されたマイクロコンピュータ３内の構成を示すブロック図である。
【図３】マイコン３が実装されたプリント配線基板４と、キーボードスイッチ１２の一部を構成するラバーシート１３の斜視図である。
【図４】リモートコントロール送信機１の縦断面図である。
【図５】複数のＰＲＯＭに組込み制御ソフトウエアを同時に書き込む従来のＲＯＭライタ１００を示すブロック図である。
【符号の説明】
【００６８】
１      リモートコントロール送信機
２      プログラマブルＲＯＭ（ＰＲＯＭ）
３      マイクロコンピュータ
４      プリント配線基板
７      ＣＰＵ
１１    キー
１１ａ、１１ｂ  スイッチ電極
１２    キーボードスイッチ
１８    赤外発光素子（赤外発光ダイオード）
１９    アンテナ（平面アンテナ）
【図１】
2007027919.tif 000003
【図２】
2007027919.tif 000004
【図３】
2007027919.tif 000005
【図４】
2007027919.tif 000006
【図５】
2007027919.tif 000007